(57)【要約】【課題】繰り返し背筋を伸ばすこと楽に行うことができるようにする。【解決手段】台座２と、背中の荷重を受けるように背中に当接される背受け部材３とを備え、背受け部材３は台座２に対して接離方向に移動自在に支持され、背受け部材３に当接した背中の背筋を伸ばすことができるように、背受け部材３を接離方向に往復移動させる駆動機構４が設けられている。【選択図】図１
2006271855.tif 000002
【特許請求の範囲】
【請求項１】
台座と、背中の荷重を受けるように背中に当接される背受け部材とを備え、前記背受け部材は前記台座に対して接離方向に移動自在に支持され、背受け部材に当接した背中の背筋を伸ばすことができるように、背受け部材を前記接離方向に往復移動させる駆動機構が設けられていることを特徴とするストレッチ装置。
【請求項２】
前記背受け部材に台座へ向けて突出する脚体が設けられ、前記台座に脚体に対応する保持体が設けられ、前記背受け部材が台座に対して前記接離方向に移動自在となるように、前記脚体は保持体に移動自在に保持されていることを特徴とする請求項１に記載のストレッチ装置。
【請求項３】
前記駆動機構は、台座又は背受け部材の一方に設けられた回転カムと、他方に設けられたカム嵌合体と、前記回転カムを回転させる駆動モータとを備え、前記カム嵌合体は回転カムが内嵌する嵌合溝を有し、回転カムの回転により前記背受け部材を台座に対して前記接離方向に往復移動させるように、前記回転カムがカム嵌合体の嵌合溝に内嵌されていることを特徴とする請求項１又は２に記載のストレッチ装置。
【請求項４】
前記駆動機構は、台座又は背受け部材の一方に設けられた回転軸を備え、回転軸に前記回転カムが外嵌固定され、この回転カムは駆動モータにより回転駆動されることを特徴とする請求項３に記載のストレッチ装置。
【請求項５】
前記受け部材の左右両側に台座へ向けて突出する左右一対の脚体が設けられ、前記台座の左右両側に脚体に対応する左右一対の保持体が設けられ、前記背受け部材が台座に対して前記接離方向に移動自在となるように、前記左右一対の各脚体は左右一対の各保持体にそれぞれ移動自在に保持され、
前記駆動機構は、台座に回転自在に支持された回転軸と、この回転軸の両側に外嵌固定された左右一対の回転カムと、前記背受け部材に設けられた左右一対のカム嵌合体と、回転軸を介して回転カムを回転させる駆動モータとを備え、
前記左右一対の各脚体は、左右一対の各回転カムが内嵌する嵌合溝が具備されて、前記左右一対のカム嵌合体とされ、回転カムの回転により背受け部材を台座に対して接離方向に往復移動させるように、前記左右一対の各回転カムが左右一対の各カム嵌合体の嵌合溝にそれぞれ内嵌されていることを特徴とすることを特徴とする請求項１に記載のストレッチ装置。
【発明の詳細な説明】
【技術分野】
【０００１】
本発明は、例えば、背筋を伸ばすことができるストレッチ装置に関するものである。
【背景技術】
【０００２】
背筋を伸ばすことができるストレッチ装置として特許文献１に開示されているものがある。このストレッチ装置は、台座となる支持フレームと、支持フレームの両側に回動自在に取り付けられた一対の取付板と、一対の取付板の間に装着された背筋押上ローラと、前記一対の取付板に装着されて手で掴まれる作動アームとを備えている。
このようなストレッチ装置で背筋を伸ばすには、使用者は、ストレッチ装置を床面に置き、背筋押上ローラに背中や腰を押し当てるように仰向けになり、この状態で作動アームを手で掴んで作動アームを足元側から頭部側に向けて引くことにより行う。
【０００３】
作動アームを足下側から頭部側に向けて引くと、前記一対の取付板を介して背筋押上ローラが床面から浮き上がるようになり、この作用によって、背筋を伸ばすことができる。
【特許文献１】実開平９−２６６９５８号公報
【発明の開示】
【発明が解決しようとする課題】
【０００４】
従来のストレッチ装置は、体重が背筋押上ローラにかかった状態で作動アームを足下側から頭部側に向けて引くことによって背筋を伸ばすものであるから、作動アームを足下側から頭部側に向けて引く際には大きな力が必要であり、子供やお年寄りなどはストレッチ装置の使用が困難であった。
また、繰り返し背筋を伸ばす場合は大きな力で作動アームを何度も引く必要があり体力を消耗してしまうことから繰り返し背筋を伸ばすことが困難であった。
そこで、本発明は、上記問題点に鑑み、楽に背筋を伸ばすことができて、繰り返し背筋を伸ばすことが非常に簡単にできるストレッチ装置を提供することを目的とする。
【課題を解決するための手段】
【０００５】
前記目的を達成するため、本発明においては以下の技術的手段を講じた。即ち、台座と、背中の荷重を受けるように背中に当接される背受け部材とを備え、前記背受け部材は前記台座に対して接離方向に移動自在に支持され、背受け部材に当接した背中の背筋を伸ばすことができるように、背受け部材を前記接離方向に往復移動させる駆動機構が設けられている点にある。
本発明の他の手段は、前記受け部材に台座へ向けて突出する脚体が設けられ、前記台座に脚体に対応する保持体が設けられ、前記背受け部材が台座に対して前記接離方向に移動自在となるように、前記脚体は保持体に移動自在に保持されている点にある。
【０００６】
本発明の他の手段は、前記駆動機構は、台座又は背受け部材の一方に設けられた回転カムと、他方に設けられたカム嵌合体と、前記回転カムを回転させる駆動モータとを備え、前記カム嵌合体は回転カムが内嵌する嵌合溝を有し、回転カムの回転により前記背受け部材を台座に対して前記接離方向に往復移動させるように、前記回転カムがカム嵌合体の嵌合溝に内嵌されている点にある。
本発明の他の手段は、前記駆動機構は、台座又は背受け部材の一方に設けられた回転軸を備え、回転軸に前記回転カムが外嵌固定され、回転カムは駆動モータにより回転軸を介して回転駆動するように構成されている点にある。
【０００７】
本発明の他の手段は、前記受け部材の左右両側に台座へ向けて突出する左右一対の脚体が設けられ、前記台座の左右両側に脚体に対応する左右一対の保持体が設けられ、前記背受け部材が台座に対して前記接離方向に移動自在となるように、前記左右一対の各脚体は左右一対の各保持体にそれぞれ移動自在に保持され、前記駆動機構は、台座に回転自在に支持された回転軸と、この回転軸の両側に外嵌固定された左右一対の回転カムと、前記背受け部材に設けられた左右一対のカム嵌合体と、回転軸を介して回転カムを回転させる駆動モータとを備え、前記左右一対の各脚体は、左右一対の各回転カムが内嵌する嵌合溝が具備されて、前記左右一対のカム嵌合体とされ、回転カムの回転により背受け部材を台座に対して接離方向に往復移動させるように、前記左右一対の各回転カムが左右一対の各カム嵌合体の嵌合溝にそれぞれ内嵌されている点にある。
【発明の効果】
【０００８】
楽に背筋を伸ばすことができて、繰り返し背筋を伸ばすことが非常に簡単にできる。
【発明を実施するための最良の形態】
【０００９】
以下、本発明の実施の形態を図面を参照して説明する。
図１〜８は本発明のストレッチ装置を示している。図１に示すように、このストレッチ装置１は、背筋を伸ばすもので、台座２と、背中に当接される背受け部材３（背中を載置する載置部材）と、駆動機構４とを有している。
台座２は合成樹脂等により矩形状に形成され、この台座２上には駆動機構４が配置されている。図２，３に示すように、台座２には、駆動機構４を上方から覆う上部カバー６が装着されている。
【００１０】
上部カバー６の上面には、矩形状の開口部７が形成されている。上部カバー６の左右側部には、側面視楕円形状の側部カバー８が設けられている。前記上部カバー６，背受け部材３の露出部分はクッション材９により覆われている。
なお、以下、説明の便宜上、図５，６を見て右手側を右側，左手側を左側とし、左右方向と直交する方向を前後方向とする。
図４〜７に示すように、背受け部材３は、平面視で長方形板状に形成されており、長手側が左右方向に向いた状態で、台座２から離間して上方に配置されている。背受け部材３の上面１０は、左右方向の両端から左右方向の中央にいくにしたがって徐々に下方に移行する円弧状となっていて、これにより、背受け部材３の上面１０に背中を当てやすくしている。
【００１１】
背受け部材３の左右中央部には、台座２に向けて突出する補助脚体１１が固定されている。この補助脚体１１は合成樹脂等により角形に形成されて、その前後中央部には下端部から上側に向けて切り欠いた切り込み部１２が形成されている。
即ち、図８に示すように、補助脚体１１は、断面が略Ｌ字状である４つのＬ型部１１１ａ〜ｄを有し、Ｌ型部１１１ａ〜ｄは、背受け部材３を下方から見たときに、外面１１２ａ〜ｈが２つの「＝」を直交させたような形状となるように構成される。つまり、外面１１２ａ〜ｈは、台座２に設けられた案内部１８の内面１８２ａ〜ｈに摺動可能なように形成される。その結果、背受け部材３は、外面１１２ａが内面１８２ａに、外面１１２ｄが内面１８２ｄに、外面１１２ｅが内面１８２ｅに、および外面１１２ｈが内面１８２ｈに係止されて、前後方向の移動が制限される。同様に、背受け部材３は、外面１１２ｂが内面１８２ｂに、外面１１２ｃが内面１８２ｃに、外面１１２ｆが内面１８２ｆに、および外面１１２ｇが内面１８２ｇに係止されて、長手方向の移動が制限される。Ｌ型部１１１ａ，ｂとＬ型部１１１ｃ，ｄとの間には、下方の端部から上方に向けて切り欠いた切り込み部１２が形成されている。補助脚体１１は、背受け部材３を脚体１５ａ，ｂと一体化する際に案内部１８の内側に収容される。
【００１２】
背受け部材３内の前後には、その長手方向に延びる貫通孔１３が設けられており、各貫通孔１３には、金属製の補強体１４が挿通されている。
各補強体１４の両端部は、背受け部材３の左右両端部から突出している。補強体１４が突出した背受け部材３の左右両側には、台座２に向けて突出する左右一対の脚体１５が配置されている。
各脚体１５は、合成樹脂等により角形に形成されて、その上部には各補強体１４の両端部が嵌合する溝部１６が形成されている。溝部１６には、補強体１４の両端部が上部から嵌合していて、背受け部材３は前後移動不能となっている。
【００１３】
脚体１５の上部には、溝部１６に嵌合した各補強体１４の上部抜け止めを防止する抜け止め防止部材１７が設けられ、抜け止め防止部材１７を、補強体１４を溝部１６に嵌合した状態で脚体１５の上部に装着することにより、背受け部材３は脚体１５から外れないようになっている。
各脚体１５の溝部１６の下側には、長辺側が前後に向く楕円状の嵌合溝２０が設けられている。嵌合溝２０は、脚体１５の溝部１６よりも下側部分に、左右方向に貫通する楕円形状の孔を形成することにより構成されている。
【００１４】
台座２の左右両側には、左右一対の各脚体１５に対応するように左右一対の保持体２１が設けられている。各保持体２１は、左右一対の各脚体１５を台座２に対して接離方向に移動自在に保持するもので、台座２の上面から脚体１５（背受け部材３）に向けて突出している。各保持体２１は、台座２から前後及び左右に壁部を起立させてその形状を有底箱型にすることにより構成したもので、この前後及び左右に囲まれた壁部内は、左右一対の各脚体１５が挿入される脚体嵌合部２２とされている。
台座２の左右中央部には、前記補助脚体１１に対応して補助脚体１１に向けて突出する補助脚体用保持体１８が設けられている。この補助脚体用保持体１８は、補助脚体１１（背受け部材３）を台座２に対して接離方向に移動自在に保持すると共に、補助脚体１１を左右方向移動不能にするもので、台座２から前後及び左右に壁部を起立させてその形状を有底箱型にすることにより構成したもので、この前後及び左右に囲まれた壁部内は、左右一対の各脚体１５が挿入される補助脚体嵌合部１９とされている。また、補助脚体用保持体１８の左右側壁部には該左右側壁部を上側から下側にかけて切り欠いた切り込み部１２が形成されている。
【００１５】
したがって、各脚体１５の下部側を各保持体２１の脚体嵌合部２２に嵌合すると共に、
補助脚体１１の下部側を補助脚体用保持体１８の補助脚体嵌合部１９に嵌合し、各脚体１５及び補助脚体１１を各保持体２１及び補助脚体用保持体１８に対して相対移動させることで背受け部材３が台座２に対して接離方向に移動できるようになっている。
駆動機構４は、背受け部材３を接離方向に往復移動させるもので、背受け部材３の下側に設けられている。この駆動機構４は、台座２に回転自在に支持された回転軸２３と、左右一対の回転カム２４と、嵌合溝２０を有する前記左右一対の脚体１５（左右一対のカム嵌合体）と、駆動モータ２５とを備えている。
【００１６】
駆動モータ２５は、その第１駆動軸２６の軸心を左右方向に向けて台座２の前側に固定されており、駆動モータ２５の第１駆動軸２６は駆動モータ２５の左側部に配置した第１ギアボックス２７に挿通している。この第１ギアボックス２７からは平面視で第１駆動軸２６に直角に交差する第２駆動軸２８が回転自在に突設しており、第２駆動軸２８は台座２の後方に延設されている。この第２駆動軸２８の後端は、左右一対の脚体１５の間で台座２上に設けられた第２ギアボックス２９に挿通している。
前記回転軸２３は、その軸心を左右方向に向けて台座２上に配置されており、その右側端部は右側の脚体１５よりも右側で台座２上に固定されたベアリング３０に回転自在に支持され、その左側は前記第２ギアボックス２９に挿通してその第２ギアボックス２９に回転自在に支持されている。また、回転軸２３の左右方向中央部は前記補助脚体１１及び補助脚体用保持体１８の切り込み部１２に挿通している。
【００１７】
したがって、駆動モータ２５を駆動させるとその回転動力が第１駆動軸２６及び第２駆動軸２８を経て第２ギアボックス２９に伝達するようになっており、このギアボックス２９を介して回転軸２３が回転するようになっている。
前記回転カム２４は円形状に形成されており、その軸心が回転軸２３の軸心から偏心するように、２つの回転カム２４（一対の回転カム２４）がそれぞれ回転軸２３の両側に外嵌固定されている。
各回転カム２４は、左右一対の各脚体１５に設けられた嵌合溝２０に内嵌されている。
【００１８】
即ち、回転カム２４の外周部が嵌合溝２０の周部３２に摺動可能になるように、各回転カム２４は各脚体１５の嵌合溝２０に内嵌している。
したがって、駆動モータ２５を駆動して回転軸２３を回転させると、回転カム２４は回転軸２３を介して回転し、回転カム２４の外周面が嵌合溝２０の周部３２内を略楕円上に沿って摺動するようになり、回転カム２４が嵌合溝２０の周部３２内を一周することで、
左右一対の各脚体１５は往復移動するようになる。
次に、ストレッチ装置１の動作を背中の背筋を伸ばす方法と合わせて説明する。
【００１９】
図９，１０に示すように、背中Ｓの背筋を伸ばすには、まず、使用者は、背受け部材３の背受け面（上面１０）を上方に向くようにストレッチ装置１を床面Ｆなどに載置し、ストレッチする背中Ｓを背受け部材３に当たるように仰向けに横たわる。ストレッチ装置１に設けられたリモコン３３（図３参照）のスイッチを入れ、駆動機構４の駆動モータ２５を駆動させる。
図９（ａ）に示すように、ストレッチ装置１のスイッチを入れる前、背受け部材３が台座２に対して最も近づいているとすると、脚体１５は台座２に対して最も近づいて最下降している状態であり、回転軸２３から離れた回転カム２４の摺動部分Ｐは、嵌合溝２０に設けた直線状の下周部３２ａを摺動した状態にある。
【００２０】
このような状態（背受け部材３を台座２に最も近づけた状態）からリモコン３３のスイッチを入れ、駆動モータ２５を駆動すると、回転軸２３の回転により回転カム２４は回転して、前記摺動部分Ｐは嵌合溝２０の周部３２に沿って前方（左）に回転する。即ち、まず、摺動部分Ｐは、直線状の下周部３２ａから前側円弧部分（一方の円弧部分）に向けて移動し、摺動部分Ｐは周部３２の前側の円弧部分３２ｂを下側から上側に向けて移動する。
図９（ｂ）に示すように、摺動部分Ｐが周部３２の前側の円弧部分３２ｂを下側から上側に向けて移動すると、摺動部分Ｐが上方にいくにしたがって回転カム２４（摺動部分Ｐ）が左右一対の各脚体１５を同時に徐々に押し上げるようになり、これにより、各脚体１５は回転カム２４により台座２から離れる方向に押されて徐々に台座２から離れ、この各脚体１５に支持された背受け部材３は台座２から離反する方向に徐々に移動することとなる。
【００２１】
図９（ｃ）に示すように、回転カム２４の摺動部分Ｐが嵌合溝２０の直線状の上周部３２ｃに移動すると、各脚体１５（背受け部材３）は台座２から最も離れた状態となる。
このように、背受け部材３を下側から上側に向けて移動させれば、背受け部材３の離反移動に伴って背中Ｓが床面Ｆから上方に徐々に浮き上がり、この作用によって、図１０に示すように、背中Ｓの背筋をゆっくりと伸ばすことができる。
さらに、回転カム２４を回転させ、摺動部分Ｐが上周部３２から後側の円弧部分３２ｄ（他方の円弧部分）に達し、後側円弧部分３２ｄを上側から下側に向けて移動すると、摺動部分Ｐが下方にいくにしたがって回転カム２４が各脚体１５を同時に徐々に押し下げるようになり、これにより、各脚体１５は回転カム２４により台座２から近づく方向に押されて徐々に台座２から近づき、この各脚体１５に支持された背受け部材３は台座２から近接する方向に徐々に移動することとなる。
【００２２】
このように、背受け部材３を上側から下側に向けて移動させれば、背受け部材３の近接移動に伴って背中Ｓが床面Ｆに徐々に近づき、この作用によって、背筋を伸ばした状態からゆっくりと元に戻すことができる。
以上、本発明のストレッチ装置１によれば、背受け部材３に当接した背中Ｓの背筋を伸ばすことができるように、背受け部材３を接離方向に往復移動させる駆動機構４が設けられているので、背受け部材３の往復移動により、力を入れない楽な姿勢で背筋を伸ばすことができる。また、駆動機構４の駆動モータ２５を連続的に駆動することで、背受け部材３を連続的に繰り返し往復させるこが可能で、これにより、繰り返し背筋を伸ばすことができる。
【００２３】
また、ストレッチ装置１の駆動機構４は、台座２に設けられた回転カム２４と、回転カム２４が内嵌する嵌合溝２０を有カム嵌合体１５（脚体）と、回転カム２４を回転させる駆動モータ２５とを備え、回転カム２４の回転により背受け部材３を台座２に対して接離方向に往復移動させるように、回転カム２４がカム嵌合体１５の嵌合溝２０に内嵌されていることから、回転カム２４の１回転によって背受け部材３を接離方向に往復移動させることが可能となり、簡単な構成で、背受け部材３を往復移動させることができる。
本発明は、上記記載の実施の形態に限定されることなく適宜に設計変更が可能である。上記実施の形態では、回転カム２４が内嵌する嵌合溝２０を、左右の各脚体１５に設けることで、各脚体１５に回転カム２４を嵌合するためのカム嵌合体の役割をさせていたが、これに代え、左右の各脚体１５とは別に、回転カム２４が内嵌するカム嵌合体を設けるようにしてもよい。
【００２４】
また、上記実施の形態では、台座２に回転軸２３を設けて、この回転軸２３に回転カム２４を設けると共に、背受け部材３にカム嵌合体１５を設けるようにしていたが、これに代え、背受け部材３に回転軸２３を設けて、この回転軸２３に回転カム２４を設けると共に、台座２に回転カム２４が嵌合するカム嵌合体を設けるようにしてもよい。
上記の実施の形態では、使用者が仰向けになった状態で背筋を伸ばすことについて例示したが、本発明のストレッチ装置１は座った状態で背筋を伸ばすことができる。この場合には、ストレッチ装置１の台座２を椅子などの背もたれに縦置きし、使用者は椅子に座った状態で背中を背受け部材３に当て、駆動モータ２５を駆動させることで背筋を伸ばすことができる。
【図面の簡単な説明】
【００２５】
【図１】本発明に係るストレッチ装置の内部の斜視図である。
【図２】ストレッチ装置を分解して示す斜視図である。
【図３】ストレッチ装置の外観の斜視図である。
【図４】ストレッチ装置の構造を示す斜視図である。
【図５】ストレッチ装置の内部の平面図である。
【図６】ストレッチ装置の内部の正面図である。
【図７】ストレッチ装置の内部の側面図である。
【図８】補助脚体の説明図である。
【図９】ストレッチ動作の説明図である。
【図１０】ストレッチの使用状態を示す使用状態図である。
【符号の説明】
【００２６】
１    ストレッチ装置
２    台座
３    背受け部材
４    駆動機構
【図１】
2006271855.tif 000003
【図２】
2006271855.tif 000004
【図３】
2006271855.tif 000005
【図４】
2006271855.tif 000006
【図５】
2006271855.tif 000007
【図６】
2006271855.tif 000008
【図７】
2006271855.tif 000009
【図８】
2006271855.tif 000010
【図９】
2006271855.tif 000011
【図１０】
2006271855.tif 000012